(57)【要約】【課題】容易に食品共同購入団体毎の食品情報説明書を作成できる食品情報管理システム等を提供すること。【解決手段】食品情報管理装置２００は団体の識別情報を格納する団体識別情報格納手段２４０と、団体の各食品情報説明書に含まれる食品情報項目を格納する食品情報項目格納手段２４０と、展開情報を格納する展開情報格納手段２４３と、団体選択画面等を表示する画面情報を格納する画面情報格納手段２３９と、団体選択画面を表示手段に表示する団体選択画面生成手段２３３と、選択された単数等の団体の食品情報説明書に含まれる食品情報項目を食品情報項目格納手段から抽出する食品情報項目抽出手段２３４と、食品情報項目入力画面を表示手段に表示する食品情報項目入力画面生成手段２３３と、食品情報項目入力画面で入力した項目内容と展開情報に基づいて食品情報説明書を展開する食品情報説明書展開手段２３７と、を備える食品情報管理システム１０。【選択図】図１
2006286023.tif 000002
【特許請求の範囲】
【請求項１】
食品情報入力端末装置と、
食品情報管理装置と、を有する食品情報管理システムであって、
前記食品情報入力端末装置は、表示手段と、
食品情報を入力する食品情報入力手段と、を有し、
前記食品情報管理装置は、複数の食品共同購入団体の識別情報を格納する団体識別情報格納手段と、
前記団体識別情報格納手段の前記識別情報にかかる前記複数の食品共同購入団体が、それぞれ定めた各食品情報説明書に含まれる食品情報項目を格納する食品情報項目格納手段と、
前記食品情報項目から前記各食品情報説明書を展開する展開情報を格納する展開情報格納手段と、
前記食品情報入力端末装置の前記表示手段に食品共同購入団体選択画面及び食品情報項目入力画面を表示するための画面情報を格納する画面情報格納手段と、
前記画面情報格納手段の前記画面情報に基づいて、前記食品共同購入団体選択画面を前記表示手段に表示する食品共同購入団体選択画面生成手段と、
前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出手段と、
前記食品情報項目抽出手段で抽出された前記食品情報項目と前記画面情報格納手段の前記画面情報に基づいて、前記食品情報項目入力画面を前記表示手段に表示する食品情報項目入力画面生成手段と、
前記食品情報入力手段が前記食品情報項目入力画面で入力した項目内容と、前記展開情報格納手段の前記展開情報に基づいて前記食品情報説明書を展開する食品情報説明書展開手段と、を備えることを特徴とする食品情報管理システム。
【請求項２】
前記食品情報項目入力画面生成手段で前記表示手段に表示される前記食品情報項目入力画面に示された入力すべき前記食品情報項目の部分に色彩を付すための着色処理手段を有すると共に、前記食品情報項目入力画面に入力案内情報が表示される構成となっていることを特徴とする請求項１に記載の食品情報管理システム。
【請求項３】
前記食品情報入力端末装置と前記食品情報管理装置とがインターネット網によって接続され、
前記食品情報管理装置は、前記インターネット網と接続するためのＷｅｂサーバと、
前記Ｗｅｂサーバを介して前記インターネット網と間接的に接続される食品情報管理本体と、を有することを特徴とする請求項１又は請求項２に記載の食品情報管理システム。
【請求項４】
前記食品情報管理本体は、前記食品情報入力装置が入力した前記項目内容を表示する品質管理端末装置を有することを特徴とする請求項１乃至請求項３のいずれかに記載の食品情報管理システム。
【請求項５】
前記食品共同購入団体の食品情報出力端末装置が、前記食品管理装置と接続されていることを特徴とする請求項１乃至請求項４のいずれかに記載の食品情報管理システム。
【請求項６】
複数の食品共同購入団体の識別情報を格納する団体識別情報格納手段と、
前記団体識別情報格納手段の前記識別情報にかかる前記複数の食品共同購入団体が、それぞれ定めた各食品情報説明書に含まれる食品情報項目を格納する食品情報項目格納手段と、
前記食品情報項目から前記各食品情報説明書を展開する展開情報を格納する展開情報格納手段と、
食品情報入力端末装置の表示手段に食品共同購入団体選択画面及び食品情報項目入力画面を表示するための画面情報を格納する画面情報格納手段と、
前記画面情報格納手段の前記画面情報に基づいて、前記食品共同購入団体選択画面を前記表示手段に表示する食品共同購入団体選択画面生成手段と、
前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出手段と、
前記食品情報項目抽出手段で抽出された前記食品情報項目と前記画面情報格納手段の前記画面情報に基づいて、前記食品情報項目入力画面を前記表示手段に表示する食品情報項目入力画面生成手段と、
前記食品情報入力端末装置の前記食品情報入力手段が前記食品情報項目入力画面で入力した項目内容と、前記展開情報格納手段の前記展開情報に基づいて前記食品情報説明書を展開する食品情報説明書展開手段と、を備えることを特徴とする食品情報管理装置。
【請求項７】
食品情報管理装置の団体識別情報格納手段が、複数の食品共同購入団体の識別情報を格納する団体識別情報格納工程と、
前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、
前記食品情報管理装置の展開情報格納手段が、前記食品情報項目から前記各食品情報説明書を展開する展開情報を格納する展開情報格納工程と、
前記食品情報管理装置の画面情報格納手段が、食品情報入力端末装置の表示手段に食品共同購入団体選択画面及び食品情報項目入力画面を表示するための画面情報を格納する画面情報格納工程と、
前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、
前記食品情報管理装置の食品情報項目抽出手段が、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出工程と、
前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、
前記食品情報管理装置の食品情報説明書展開手段が、前記食品情報入力端末装置の食品情報入力手段が前記食品情報項目入力画面で入力した項目内容と、前記展開情報格納手段の前記展開情報に基づいて前記食品情報説明書を展開する食品情報説明書展開工程と、を有することを特徴とする食品情報管理方法。
【請求項８】
前記食品情報項目抽出工程が、
一部の前記食品共同購入団体の前記食品情報説明書に含まれる一部食品情報項目を前記食品情報項目格納手段から抽出する一部食品情報項目抽出工程と、
前記食品共同購入団体全部の前記食品情報説明書に含まれる全部食品情報項目を前記食品情報項目格納手段から抽出する全部食品情報項目抽出工程と、を有し、
前記食品情報項目入力画面生成工程が、
前記食品情報項目抽出手段で抽出された前記一部食品情報項目と前記画面情報格納手段の前記画面情報に基づいて、一部食品情報項目入力画面を前記表示手段に表示する一部食品情報項目入力画面生成工程と、
前記食品情報項目抽出手段で抽出された前記全部食品情報項目と前記画面情報格納手段の前記画面情報に基づいて、全部食品情報項目入力画面を前記表示手段に表示する全部食品情報項目入力画面生成工程と、を有し、
前記食品情報説明書展開工程が、
前記食品情報入力手段が前記一部食品情報項目入力画面で入力した項目内容と、前記展開情報格納手段の前記展開情報に基づいて一部食品共同購入団体の食品情報説明書を展開する一部団体食品情報説明書展開工程と、
前記食品情報入力手段が前記全部食品情報項目入力画面で入力した項目内容と、前記展開情報格納手段の前記展開情報に基づいて食品共同購入団体全部の食品情報説明書を展開する全部団体食品情報説明書展開工程と、を有すると共に、
前記食品情報管理装置の一部食品情報項目内容格納手段が、前記一部食品情報項目入力画面で入力された項目内容を格納する一部食品情報項目内容格納工程と、を有することを特徴とする請求項７に記載の食品情報管理方法。
【請求項９】
コンピュータに、食品情報管理装置の団体識別情報格納手段が、複数の食品共同購入団体の識別情報を格納する団体識別情報格納工程と、
前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、
前記食品情報管理装置の展開情報格納手段が、前記食品情報項目から前記各食品情報説明書を展開する展開情報を格納する展開情報格納工程と、
前記食品情報管理装置の画面情報格納手段が、食品情報入力端末装置の表示手段に食品共同購入団体選択画面及び食品情報項目入力画面を表示するための画面情報を格納する画面情報格納工程と、
前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、
前記食品情報管理装置の食品情報項目抽出手段が、前記食品共同購入団体選択画面において前記食品情報入力端末装置の食品情報入力手段で選択された単数又は複数の前記食品共同購入団体の前記食品情報説明書に含まれる前記食品情報項目を前記食品情報項目格納手段から抽出する食品情報項目抽出工程と、
前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、
前記食品情報管理装置の食品情報説明書展開手段が、前記食品情報入力端末装置の食品情報入力手段が前記食品情報項目入力画面で入力した項目内容と、前記展開情報格納手段の前記展開情報とに基づいて前記食品情報説明書を展開する食品情報説明書展開工程と、を実行させるための食品情報管理プログラム。
【請求項１０】
コンピュータに、食品情報管理装置の団体識別情報格納手段が、複数の食品共同購入団体の識別情報を格納する団体識別情報格納工程と、
前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、
前記食品情報管理装置の展開情報格納手段が、前記食品情報項目から前記各食品情報説明書を展開する展開情報を格納する展開情報格納工程と、
前記食品情報管理装置の画面情報格納手段が、食品情報入力端末装置の表示手段に食品共同購入団体選択画面及び食品情報項目入力画面を表示するための画面情報を格納する画面情報格納工程と、
前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、
前記食品情報管理装置の食品情報項目抽出手段が、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出工程と、
前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、
前記食品情報管理装置の食品情報説明書展開手段が、前記食品情報入力端末装置の食品情報入力手段が前記食品情報項目入力画面で入力した項目内容と、前記展開情報格納手段の前記展開情報とに基づいて前記食品情報説明書を展開する食品情報説明書展開工程と、を実行させるための食品情報管理プログラムを記録したコンピュータ読み取り可能な記録媒体。
【発明の詳細な説明】
【技術分野】
【０００１】
本発明は、食品を共同購入する食品購入団体に食品供給者が提出する食品情報を管理するための食品情報管理装置、食品情報管理システム、食品情報管理方法、食品情報管理装置の制御方法、食品情報装置の制御プログラム、食品情報装置の制御プログラムを記録したコンピュータ読み取り可能な記録媒体に関するものである。
【背景技術】
【０００２】
従来より、最終需要者である消費者に対する食品情報の提供については様々な提案が成されている（例えば特許文献１参照）。
一方、これら消費者が共同して食品を購入する食品購入団体である例えば、生活協同組合も以前より存在し、この生活協同組合が消費者に代わって食品供給者である食品会社の食品を購入するシステムも確立している。
この生活協同組合は、全国に多数存在し、それぞれ生活協同組合の会員たる最終消費者の要望を反映した食品情報説明書である例えば、仕様書を作成している。この仕様書は、食品の名称や産地、若しくは安全性等についての項目があり、食品会社が記入して作成することが義務付けられている。
【特許文献１】特開２００１−２４３３６４号公報
【発明の開示】
【発明が解決しようとする課題】
【０００３】
この食品会社が記入する各生活協同組合の仕様書の記入項目は、生活協同組合によって異なるため、食品会社にとって煩雑な事務を強いられ問題となっていた。また、食品会社と生活協同組合との間で、この仕様書を取り扱う食品商社にとっても煩雑な事務を強いられ問題となっていた。
【課題を解決するための手段】
【０００４】
前記課題は、請求項１の発明によれば、食品情報入力端末装置と、食品情報管理装置と、を有する食品情報管理システムであって、前記食品情報入力端末装置は、表示手段と、
食品情報を入力する食品情報入力手段と、を有し、前記食品情報管理装置は、複数の食品共同購入団体の識別情報を格納する団体識別情報格納手段と、前記団体識別情報格納手段の前記識別情報にかかる前記複数の食品共同購入団体が、それぞれ定めた各食品情報説明書に含まれる食品情報項目を格納する食品情報項目格納手段と、前記食品情報項目から前記各食品情報説明書を展開する展開情報を格納する展開情報格納手段と、前記食品情報入力端末装置の前記表示手段に食品共同購入団体選択画面及び食品情報項目入力画面を表示するための画面情報を格納する画面情報格納手段と、前記画面情報格納手段の前記画面情報に基づいて、前記食品共同購入団体選択画面を前記表示手段に表示する食品共同購入団体選択画面生成手段と、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出手段と、
前記食品情報項目抽出手段で抽出された前記食品情報項目と前記画面情報格納手段の前記画面情報に基づいて、前記食品情報項目入力画面を前記表示手段に表示する食品情報項目入力画面生成手段と、前記食品情報入力手段が前記食品情報項目入力画面で入力した項目内容と、前記展開情報格納手段の前記展開情報に基づいて前記食品情報説明書を展開する食品情報説明書展開手段と、を備えることを特徴とする食品情報管理システムによって達成される。
【０００５】
請求項１の発明によれば、前記画面情報格納手段の前記画面情報に基づいて、前記食品共同購入団体選択画面を前記表示手段に表示する食品共同購入団体選択画面生成手段を有する。
このため、前記食品情報入力端末装置の操作者である例えば食品会社の担当者は、前記食品情報入力手段で自社が食品情報説明書を提出したい前記食品共同購入団体を選択することができる。すなわち、前記食品共同購入団体のうち、一つ乃至全部を任意に選択でき、且つ選択は、前記表示手段の前記食品共同購入団体選択画面を見ながらできる。したがって、従来のように煩雑な申請書等を提出することなく、迅速且つ容易に、希望する前記食品共同購入団体を選択することができる。
【０００６】
また、請求項１の発明によれば、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出手段と、前記食品情報項目抽出手段で抽出された前記食品情報項目と前記画面情報格納手段の前記画面情報に基づいて、前記食品情報項目入力画面を前記表示手段に表示する食品情報項目入力画面生成手段とを有している。
このため、前記食品情報端末装置側では、自社が上述のように選択した食品共同購入団体の前記食品情報説明書を作成するための前記食品情報項目の内容を入力する際、前記表示手段に表示された前記食品情報項目入力画面に従って入力することができる。したがって、従来のように記入項目漏れ等を心配することなく、迅速且つ容易に必要事項を入力することができる。
【０００７】
また、請求項１の発明によれば、前記食品情報入力手段が前記食品情報項目入力画面で入力した項目内容と、前記展開情報格納手段の前記展開情報に基づいて前記食品情報説明書を展開する食品情報説明書展開手段を有している。
このため、前記食品管理装置は、前記食品情報入力端末装置側からの入力が終了すると迅速に、当該食品共同購入団体が定めた前記食品情報説明書のフォームに入力された内容を表示して、食品情報説明書を完成させることができる。この食品情報説明書は、人手に頼らず機械的に処理できるので従来のように多くの担当者等を配置する必要がないので、迅速且つ大幅にコストを下げることができる。
また、前記食品情報管理装置は、前記団体識別情報格納手段の前記識別情報にかかる前記複数の食品共同購入団体が、それぞれ定めた各食品情報説明書に含まれる食品情報項目を格納する食品情報項目格納手段と、前記食品情報項目から前記各食品情報説明書を展開する展開情報を格納する展開情報格納手段とを有している。
さらに、前記食品情報入力手段で選択された単数又は複数の前記食品共同購入団体の前記食品情報説明書に含まれる前記食品情報項目を前記食品情報項目格納手段から抽出する食品情報項目抽出手段も有している。
【０００８】
このように、前記食品情報項目（例えば全ての食品共同購入団体の食品情報説明書を作成するために必要な情報）と、前記展開情報（例えば各食品共同購入団体の特有の食品情報説明書のフォーム情報）とを、別々に格納してある。
また、これら別々に格納されている情報は、前記食品情報項目抽出手段によって抽出され、その後、前記食品情報説明書展開手段によって展開され、当該食品共同購入団体用の食品情報説明書が形成されている構成となっている。
このため、一部の食品共同購入団体のみの前記食品情報説明書を展開し作成する場合は、その作成に必要な前記食品情報項目を迅速に選択し、前記食品情報入力端末装置に提示できる。したがって、前記食品情報入力端末装置側では不要な前記食品情報項目の入力を行う必要がない。
また、前記食品情報項目の入力後は、迅速に、所望の食品共同購入団体のみの前記食品情報説明書を展開し、作成することができる。
以上のように、本発明では、従来のように人手に依らず、コンピュータ等の機械的処理によって、容易且つ迅速に前記食品情報説明書を作成することができるので、大幅な時間短縮とコストダウンが可能となる。
【０００９】
請求項２の発明によれば、請求項１の構成において、前記食品情報項目入力画面生成手段で前記表示手段に表示される前記食品情報項目入力画面に示された入力すべき前記食品情報項目の部分に色彩を付すための着色処理手段を有すると共に、前記食品情報項目入力画面に入力案内情報が表示される構成となっていることを特徴とする食品情報管理システムである。
【００１０】
請求項２の発明によれば、前記食品情報項目入力画面生成手段で前記表示手段に表示される前記食品情報項目入力画面に示された入力すべき前記食品情報項目の部分に色彩を付すための着色処理手段を有する。
このため、前記食品情報入力端末装置側で前記食品情報入力手段を操作する際に、操作者は、着色部分の項目に必要事項を入力すれば良いので、操作がより容易になる。
また、請求項２に発明によれば、前記食品情報項目入力画面に入力案内情報が表示される構成となっているので、この入力案内情報に従って入力できるので、より間違いなく必要項目を入力することが可能となる。
【００１１】
請求項３の発明によれば、請求項１又は請求項２の構成において、前記食品情報入力端末装置と前記食品情報管理装置とがインターネット網によって接続され、前記食品情報管理装置は、前記インターネット網と接続するためのＷｅｂサーバと、前記Ｗｅｂサーバを介して前記インターネット網と間接的に接続される食品情報管理本体と、を有することを特徴とする食品情報管理システムである。
【００１２】
請求項３の発明によれば、前記食品情報入力端末装置と前記食品情報管理装置とがインターネット網によって接続され、前記食品情報管理装置は、前記インターネット網と接続するためのＷｅｂサーバと、前記Ｗｅｂサーバを介して前記インターネット網と間接的に接続される食品情報管理本体と、を有する。
このため、前記食品情報管理本体は、直接、前記インターネット網に接続されていないので、前記食品情報管理本体内の情報の漏洩等を未然に防止することができる。
【００１３】
請求項４の発明によれば、請求項１乃至請求項３のいずれかの構成において、前記食品情報管理本体は、前記食品情報入力装置が入力した前記項目内容を表示する品質管理端末装置を有することを特徴とする食品情報管理システムである。
【００１４】
請求項４の発明によれば、前記食品情報管理本体は、前記食品情報入力装置が入力した前記項目内容を表示する品質管理端末装置を有する。このため、品質管理担当者が前記品質管理端末装置に表示された前記項目内容を検査することができる。したがって、前記食品情報入力端末装置で前記食品会社の担当者等が誤入力しても、前記食品情報説明書に展開する前に誤入力等を発見できるので、前記食品情報説明書の信頼性が著しく向上する。
【００１５】
請求項５の発明によれば、請求項１乃至請求項４のいずれかの構成において、前記食品共同購入団体の食品情報出力端末装置が、前記食品管理装置と接続されていることを特徴とする食品情報管理システムである。
【００１６】
請求項５の発明によれば、前記食品共同購入団体の食品情報出力端末装置が、前記食品管理装置と接続されているので、前記食品管理装置で展開し作成された前記食品情報説明書を直接、閲覧等することができる。
【００１７】
前記課題は、請求項６の発明によれば、複数の食品共同購入団体の識別情報を格納する団体識別情報格納手段と、前記団体識別情報格納手段の前記識別情報にかかる前記複数の食品共同購入団体が、それぞれ定めた各食品情報説明書に含まれる食品情報項目を格納する食品情報項目格納手段と、前記食品情報項目から前記各食品情報説明書を展開する展開情報を格納する展開情報格納手段と、食品情報入力端末装置の表示手段に食品共同購入団体選択画面及び食品情報項目入力画面を表示するための画面情報を格納する画面情報格納手段と、前記画面情報格納手段の前記画面情報に基づいて、前記食品共同購入団体選択画面を前記表示手段に表示する食品共同購入団体選択画面生成手段と、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出手段と、前記食品情報項目抽出手段で抽出された前記食品情報項目と前記画面情報格納手段の前記画面情報に基づいて、前記食品情報項目入力画面を前記表示手段に表示する食品情報項目入力画面生成手段と、前記食品情報入力端末装置の前記食品情報入力手段が前記食品情報項目入力画面で入力した項目内容と、前記展開情報格納手段の前記展開情報に基づいて前記食品情報説明書を展開する食品情報説明書展開手段と、を備えることを特徴とする食品情報管理装置により達成される。
【００１８】
前記課題は、請求項７の発明によれば、食品情報管理装置の団体識別情報格納手段が、複数の食品共同購入団体の識別情報を格納する団体識別情報格納工程と、前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、前記食品情報管理装置の展開情報格納手段が、前記食品情報項目から前記各食品情報説明書を展開する展開情報を格納する展開情報格納工程と、前記食品情報管理装置の画面情報格納手段が、食品情報入力端末装置の表示手段に食品共同購入団体選択画面及び食品情報項目入力画面を表示するための画面情報を格納する画面情報格納工程と、前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、前記食品情報管理装置の食品情報項目抽出手段が、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出工程と、前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、前記食品情報管理装置の食品情報説明書展開手段が、前記食品情報入力端末装置の食品情報入力手段が前記食品情報項目入力画面で入力した項目内容と、前記展開情報格納手段の前記展開情報に基づいて前記食品情報説明書を展開する食品情報説明書展開工程と、を有することを特徴とする食品情報管理方法により達成される。
【００１９】
請求項６及び請求項７の発明によれば、請求項１の発明と同様に、前記食品管理装置は、前記食品情報入力端末装置側からの入力が終了すると迅速に、当該食品共同購入団体が定めた前記食品情報説明書のフォームに入力された内容を表示して、食品情報説明書を完成させることができる。この食品情報説明書は、人手に頼らず機械的に処理できるので従来のように多くの担当者等を配置する必要がないので、迅速且つ大幅にコストを下げることができる。
また、従来のように人手に依らずコンピュータ等の機械的処理によって、容易且つ迅速に前記食品情報説明書を作成することができるので、前記食品情報説明書を作成する際に大幅な時間短縮も可能となる。
【００２０】
請求項８の発明によれば、請求項７の構成において、前記食品情報項目抽出工程が、一部の前記食品共同購入団体の前記食品情報説明書に含まれる一部食品情報項目を前記食品情報項目格納手段から抽出する一部食品情報項目抽出工程と、前記食品共同購入団体全部の前記食品情報説明書に含まれる全部食品情報項目を前記食品情報項目格納手段から抽出する全部食品情報項目抽出工程と、を有し、前記食品情報項目入力画面生成工程が、前記食品情報項目抽出手段で抽出された前記一部食品情報項目と前記画面情報格納手段の前記画面情報に基づいて、一部食品情報項目入力画面を前記表示手段に表示する一部食品情報項目入力画面生成工程と、前記食品情報項目抽出手段で抽出された前記全部食品情報項目と前記画面情報格納手段の前記画面情報に基づいて、全部食品情報項目入力画面を前記表示手段に表示する全部食品情報項目入力画面生成工程と、を有し、前記食品情報説明書展開工程が、前記食品情報入力手段が前記一部食品情報項目入力画面で入力した項目内容と、前記展開情報格納手段の前記展開情報に基づいて一部食品共同購入団体の食品情報説明書を展開する一部団体食品情報説明書展開工程と、前記食品情報入力手段が前記全部食品情報項目入力画面で入力した項目内容と、前記展開情報格納手段の前記展開情報に基づいて食品共同購入団体全部の食品情報説明書を展開する全部団体食品情報説明書展開工程と、を有すると共に、前記食品情報管理装置の一部食品情報項目内容格納手段が、前記一部食品情報項目入力画面で入力された項目内容を格納する一部食品情報項目内容格納工程と、を有することを特徴とする食品情報管理方法である。
【００２１】
請求項８の発明によれば、前記一部食品情報項目抽出工程の後、前記一部食品情報項目入力画面生成工程を行い、その後、前記一部団体食品情報説明書展開工程を行うと、前記一部の食品共同購入団体に対し前記食品情報説明書を提供することができる。
すなわち、例えば食品会社が試しに、一部の食品共同購入団体に対してのみ食品情報説明書を提示したいと考えた場合は、この一部食品情報項目抽出工程等により一部の前記食品共同購入団体のみの食品情報説明書を展開し作成することができる。
その後、同一の食品会社が同一の食品について全部の前記食品共同購入団体に対して、前記食品情報説明書を提示したいと考えた場合は、前記全部食品情報項目抽出工程、前記全部食品情報項目入力画面生成工程及び前記全部団体食品情報説明書展開工程により迅速に全部の前記食品共同購入団体の食品情報説明書を展開し作成することができる。
また、一部食品情報項目内容格納工程を有するので、食品会社が前記食品情報入力手段で一度入力した前記項目内容は登録されているので、前記全部食品情報項目入力画面で前記項目内容を入力する際、この一度入力した前記項目内容を重ねて入力する必要がない。
このため、食品会社は迅速に全部の前記食品共同購入団体の食品情報説明書を展開させることができる。
【００２２】
前記課題は、請求項９の発明によれば、コンピュータに、食品情報管理装置の団体識別情報格納手段が、複数の食品共同購入団体の識別情報を格納する団体識別情報格納工程と、前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、前記食品情報管理装置の展開情報格納手段が、前記食品情報項目から前記各食品情報説明書を展開する展開情報を格納する展開情報格納工程と、前記食品情報管理装置の画面情報格納手段が、食品情報入力端末装置の表示手段に食品共同購入団体選択画面及び食品情報項目入力画面を表示するための画面情報を格納する画面情報格納工程と、前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、前記食品情報管理装置の食品情報項目抽出手段が、前記食品共同購入団体選択画面において前記食品情報入力端末装置の食品情報入力手段で選択された単数又は複数の前記食品共同購入団体の前記食品情報説明書に含まれる前記食品情報項目を前記食品情報項目格納手段から抽出する食品情報項目抽出工程と、前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、前記食品情報管理装置の食品情報説明書展開手段が、前記食品情報入力端末装置の食品情報入力手段が前記食品情報項目入力画面で入力した項目内容と、前記展開情報格納手段の前記展開情報とに基づいて前記食品情報説明書を展開する食品情報説明書展開工程と、を実行させるための食品情報管理プログラムにより達成される。
【００２３】
前記課題は、請求項１０の発明によれば、コンピュータに、食品情報管理装置の団体識別情報格納手段が、複数の食品共同購入団体の識別情報を格納する団体識別情報格納工程と、前記食品情報管理装置の食品情報項目格納手段が、前記団体識別情報格納手段の前記識別情報にかかる前記複数の食品共同購入団体が、それぞれ定めた各食品情報説明書に含まれる食品情報項目を格納する食品情報項目格納工程と、前記食品情報管理装置の展開情報格納手段が、前記食品情報項目から前記各食品情報説明書を展開する展開情報を格納する展開情報格納工程と、前記食品情報管理装置の画面情報格納手段が、食品情報入力端末装置の表示手段に食品共同購入団体選択画面及び食品情報項目入力画面を表示するための画面情報を格納する画面情報格納工程と、前記食品情報管理装置の食品共同購入団体選択画面生成手段が、前記画面情報格納手段の前記画面情報に基づいて、前記食品共同購入団体選択画面を前記表示手段に表示する食品共同購入団体選択画面生成工程と、前記食品情報管理装置の食品情報項目抽出手段が、前記食品共同購入団体選択画面において前記食品情報入力手段で選択された単数又は複数の前記食品共同購入団体の前記食品情報説明書に含まれる前記食品情報項目を前記食品情報項目格納手段から抽出する食品情報項目抽出工程と、前記食品情報管理装置の食品情報項目入力画面生成手段が、前記食品情報項目抽出手段で抽出された前記食品情報項目と前記画面情報格納手段の前記画面情報に基づいて、前記食品情報項目入力画面を前記表示手段に表示する食品情報項目入力画面生成工程と、
前記食品情報管理装置の食品情報説明書展開手段が、前記食品情報入力端末装置の食品情報入力手段が前記食品情報項目入力画面で入力した項目内容と、前記展開情報格納手段の前記展開情報とに基づいて前記食品情報説明書を展開する食品情報説明書展開工程と、を実行させるための食品情報管理プログラムを記録したコンピュータ読み取り可能な記録媒体により達成される。
【００２４】
請求項９及び請求項１０の発明によれば、請求項１の発明と同様に、前記食品管理装置は、前記食品情報入力端末装置側からの入力が終了すると迅速に、当該食品共同購入団体が定めた前記食品情報説明書のフォームに入力された内容を表示して、食品情報説明書を完成させることができる。この食品情報説明書は、人手に頼らず機械的に処理できるので従来のように多くの担当者等を配置する必要がないので、迅速且つ大幅にコストを下げることができる。
また、従来のように人手に依らずコンピュータ等の機械的処理によって、容易且つ迅速に前記食品情報説明書を作成することができるので、前記食品情報説明書を作成する際に大幅な時間短縮も可能となる。
【発明の効果】
【００２５】
本発明の食品情報管理システム、食品情報管理装置、食品情報管理方法、食品情報管理プログラム、食品情報管理プログラムを記録したコンピュータ読み取り可能な記録媒体は、容易に食品共同購入団体毎の食品情報説明書を作成できるという利点がある。
【発明を実施するための最良の形態】
【００２６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２７】
（第１の実施の形態）
図１は、本発明の食品情報管理システムの実施の形態である生協仕様書管理システム１０を示す概略ブロック図である。
図１に示すように生協仕様書管理システム１０は、食品情報管理装置の一例である食品情報管理センター２００を有している。この食品情報管理センター２００は、インターネット網１４と接続するためのＷｅｂサーバ２１０を有している。
また、食品情報管理センター２００は、Ｗｅｂサーバ２１０を介してインターネット網１４と間接的に接続される食品情報管理センター本体２２０を有している。
このように食品情報管理センター本体２２０が直接、インターネット網１４と接続されていないため食品情報管理センター本体２２０内の情報が漏洩等すること未然に防ぐことができる構成となっている。
本実施の形態では、食品情報管理センター２００内にＷｅｂサーバ２１０を設けているが、これに限らず、他の専門会社内にＷｅｂサーバを置き、食品情報管理センター本体２２０と専用回線を結ぶ構成としてもよい。
【００２８】
図１の食品情報管理センター本体２２０は、食品情報管理サーバ２３０、品質管理端末装置２５０及び営業担当者端末装置２７０を有している。
また、この営業担当者端末装置２７０からは後述するように、各生活協同組合（以下「生協」という）毎に定められた商品仕様書がプリント等できる構成となっている。例えば、（Ａ）生協、（Ｂ）生協又は（Ｃ）生協は、それぞれ異なった商品仕様書のフォームである（Ａ）生協商品仕様書１１、（Ｂ）生協商品仕様書１２、（Ｃ）生協商品仕様書１３を有している。これらの各生協に食品を納品したい食品会社等は、これらの各商品仕様書のフォーム（（Ａ）生協商品仕様書１１等）に従って求められる商品情報をフォームに表示する必要がある。
【００２９】
ところで、（Ａ）生協等が食品共同購入団体の一例であり、生協は最終消費者を会員として食品の共同購入を行う団体である。
また、商品仕様書が食品情報説明書一例であり、具体的には、図２に示すように、各生協等の会員等が求めている商品情報を記入するようになっている。図２は（Ａ）生協の商品仕様書フォーム（（Ａ）生協商品仕様書１１）を示す説明図である。
一方、（Ａ）生協等に対して商品である食品の納入を希望する食品会社、例えば（ア）食品会社、（イ）食品会社及び（ウ）食品会社は、それぞれ端末装置を有し、それらが図１に示す、（ア）食品会社端末装置１００ａ、（イ）食品会社端末装置１００ｂ（ウ）食品会社端末装置１００ｃである。
これら（ア）食品会社端末装置１００ａ等が食品情報入力端末装置の一例である。
【００３０】
ところで、図１の品質管理端末装置２５０には、図１の（ア）食品会社端末装置１００ａ等で入力された商品に関する項目情報（項目内容の一例）を表示される。例えば、図２の「２．商品名」のうち、漢字ブランド名の項目に「ひらがな」で表示があるとそのまま品質管理端末装置２５０のディスプレイに表示される。
このため、品質管理端末装置２５０を品質管理担当者が見れば、直ちに誤りを発見することができる。このように、食品管理端末装置２５０を配置することで、（ア）食品会社端末装置１００ａ等で誤入力があっても、最終的に商品仕様書が作成される前に、誤り等を発見できるので、作成される商品仕様書の信頼性が著しく向上することとなる。
【００３１】
（（ア）食品会社端末装置１００ａ等の主なハードウエア構成等）
図１の（ア）食品会社端末装置１００ａ等、Ｗｅｂサーバ２１０、食品情報管理サーバ２３０、品質管理端末装置２５０及び営業担当者端末装置２７０等はコンピュータ等から成っている。
図３は、（ア）食品会社端末装置１００ａの主なハードウエア構成等を示す概略ブロック図である。他の食品端末装置１００ｂ、１００ｃやＷｅｂサーバ２１０、食品情報管理サーバ２３０、品質管理端末装置２５０及び営業担当者端末装置２７０等も同様にコンピュータ等から成っているので、以下（ア）食品会社端末装置１００ａについてのみ説明し、他の説明は省略する。
【００３２】
図３に示すように、（ア）食品会社端末装置１００ａのコンピュータは、バス１０１を有しており、このバス１０１に、ＣＰＵ（Ｃｅｎｔｒａｌ  Ｐｒｏｃｅｓｓｉｎｇ  Ｕｎｉｔ）１０２、ＲＡＭ（Ｒａｎｄｏｍ  Ａｃｃｅｓｓ  Ｍｅｍｏｒｙ）１０３、ＲＯＭ（Ｒｅａｄ  Ｏｎｌｙ  Ｍｅｍｏｒｙ）１０４、ハードディスク１０５等が配置されている。
また、このバス１０１には、インターネット網１４等と通信可能な通信装置１０６や表示装置の一例であるディスプレイ装置１０７、そして、キーボード１０８等も接続されている。このキーボード１０８は、（ア）食品会社端末装置１００ａの操作者が図２の商品仕様書の項目情報である食品情報を入力する食品情報入力手段の一例である。
【００３３】
ところで、バス１０１はすべてのデバイスを接続する機能を有し、アドレスやデータパスを有する内部パスである。
ＣＰＵ１０２は所定のプログラムの処理を行う他、バス１０１に接続されたＲＯＭ１０４等を制御している。ＲＯＭ１０４は、各種プログラムや各種情報等を格納している。
ＲＡＭ１０３は、プログラム処理中のメモリの内容を対比したり、プログラムを実行するためのエリアとしての機能を有する。
また、（ア）食品会社端末装置１００ａ、（Ｂ）食品会社端末装置１００ｂ、（Ｃ）食品会社端末装置１００ｃやＷｅｂサーバ２１０等は、インターネット網１４に接続されているので、ＨＴＭＬ言語で書かれたファイルを読み取ることができるブラウザをディスプレイ装置１０７に表示できる構成となっている。ブラウザとしては、例えばＨＴＭＬ閲覧ソフトである各種のブラウザソフトが適用される。
【００３４】
また、コンピュータに搭載している例えば、基本制御プログラム（ＯＳ（オペレーションシステム）やＢＩＯＳ（基本出力制御システム））がＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＪａｖａ（登録商標）言語等により動作するよう構成されている。
【００３５】
（食品情報管理サーバ２３０の主なソフトウエア構成等）
図４は、図１の食品情報管理サーバ２３０の主なソフトウエア構成等を示す概略ブロック図である。図４に示すように、食品情報管理サーバ２３０は制御部２３１と食品管理サーバデータベース２３８とを有している。
食品管理サーバデータベース２３８は、特定及び全生協用商品仕様書等ファイル２４０を有している。この特定及び全生協用商品仕様書等ファイル２４０には、（Ａ）生協、（Ｂ）生協及び（Ｃ）生協等の多数の生協の名称等が格納されている。この生協の名称が識別情報の一例となっており、特定及び全生協用商品仕様書等ファイル２４０は団体識別情報格納手段の一例ともなっている。
【００３６】
また、（Ａ）生協等の各生協は、独自に作成した図２に示す（Ａ）生協等の商品仕様書（（Ａ）生協商品仕様書１１等）を作成している。このため、食品情報管理サーバ２３０は、全ての生協の商品仕様書で求められる食品情報項目を全て集めて、特定及び全生協用商品仕様書等ファイル２４０に格納している。
すなわち、図５に示すように全生協の商品仕様書で求められる食品情報項目が一覧となっている。図５は商品仕様書で求められる一部の食品情報項目の一覧を示す説明図である。
このため、特定及び全生協用商品仕様書等ファイル２４０は、生協がそれぞれ定めた各商品仕様書に含まれる食品情報項目を格納する食品情報項目格納手段の一例とも成っている。
【００３７】
また、食品管理サーバデータベース２３８は、図６に示すような単協版対象の生協を選択する生協選択画面や、図７に示すような項目情報入力画面を図３のディスプレイ１０７に表示させるための画像情報を格納する入力画面情報登録ファイル２３９を有している。
図６は生協選択画面等を示す概略画面例であり、図７は項目入力画面等を示す概略画面例である。
この生協選択画面が食品共同購入団体選択画面の一例であり、項目情報入力画面が食品情報項目入力画面の一例である。また、入力画面情報登録ファイル２３９は、図３のディスプレイ１０７に生協選択画面や項目情報入力画面を表示するための画面情報を格納する
画面情報格納手段の一例である。
【００３８】
また、図４の制御部２３１は、図６及び図７の画面を図３のディスプレイ１０７に対して表示するための入力画面生成部２３３を有している。すなわち、入力画面生成部２３３は食品共同購入団体画面生成手段の一例となっている。
また、図６に示す生協選択画面が図３の（ア）食品会社端末装置１００ａ等のディスプレイ１０７に表示されると、食品会社の操作者がキーボード１０８を操作して、自己が商品仕様書を作成し提示したい生協を画面から選択する。
すると、制御部２３１の特定生協用商品仕様書項目抽出部２３４が、特定及び全生協用商品仕様書等ファイル２４０を参照する。すなわち、特定及び全生協用商品仕様書等ファイル２４０には、図５に示すように各生協の商品仕様書で表示を求められている項目のデータが格納されている。
【００３９】
そこで、特定生協用商品仕様書項目抽出部２３４は、特定及び全生協用商品仕様書等ファイル２４０を参照することで、選択された生協についての項目を抽出する。具体的には、図５に示すように、例えば、（Ａ）生協の場合は、商品名称カナ、漢字４０文字、漢字２０文字、カナブランド名、漢字メーカー名及びカナメーカー名以外の項目の表示が求められている。
すなわち、特定生協用商品仕様書項目抽出部２３４は、食品情報項目抽出手段の一例となっている。
【００４０】
また、特定生協用商品仕様書項目抽出部２３４で抽出された図５に示す項目と、入力画面情報登録ファイル２３９内の画像情報に基づいて、入力画面生成部２３３は、図７に示すような項目情報入力画面を生成し、図３のディスプレイ１０７に表示する。
すなわち、入力画面生成部２３３は、食品情報項目入力画面生成手段の一例となっている。
また、食品管理サーバデータベース２３８は着色情報ファイル２４１を有している。具体的には図８に示すように生協によって求められる上述の項目について着色処理をする旨のデータとその色のデータが格納されている。図８は着色データ例である。
一方、制御部２３１には、着色処理部２３５が設けられ、着色処理部２３５は着色情報ファイル２４１のデータに基づいて、生協によって表示が求められる項目、すなわち、食品会社が入力する必要がある項目を色彩を付して表示する構成となっている。
【００４１】
具体的には、図７の斜線で示した部分が例えば桃色で表示される。これらの項目は（Ａ）生協が表示を求めている、すなわち、商品仕様書を展開するのに必要な項目となっている。
したがって、食品会社の操作者（担当者）は、（ア）食品会社端末装置１００ａ等のディスプレイ１０７の色彩が付された項目を入力すればよいので、操作がより容易となる。
すなわち、着色処理部２３５は、着色処理手段の一例となっている。
【００４２】
また、図６に示すように、例えば画面下には、操作者の入力を案内するガイド欄が表示されるので、操作者はより間違いなく項目の入力を行うことができる構成となっている。
すなわち、このガイド欄は入力案内情報に一例となっている。
このように項目の入力が終了すると、入力された項目のデータは、食品管理サーバデータベース２３８の入力データ登録ファイル２４２に登録される。
また、食品管理サーバデータベース２３８には、図７の画面で入力された項目の情報から図２に示す各生協の商品仕様書に展開するための情報が格納されている仕様書展開情報ファイル２４３が設けられている。
そして、制御部２３１には、仕様書展開情報ファイル２４３に基づいて図２の商品仕様書に所定事項を表示して商品仕様書を完成させる仕様書展開処理部２３７が設けられている。
すなわち、仕様書展開情報ファイル２４３は展開情報格納手段の一例であり、仕様書展開処理部２３７は、食品情報説明書展開手段の一例となっている。
【００４３】
なお、制御部２３１は、（ア）食品会社端末装置１００ａ等とＷｅｂサーバ２１０を介して情報の送受信を行う送受信部２３２や、食品管理サーバデータベース２３８との間のデータの入出力を行うデータ入出力部２３６も有している。
【００４４】
本実施の形態に係る生協仕様書管理システム１０は、以上のように構成されているが、以下、その動作等について説明する。
なお、図１の（ア）食品会社が、先ず、食品について（Ａ）生協向けの商品仕様書である、（Ａ）生協商品仕様書１１を作成した後、同一食品について全生協向けの商品仕様書を作成する場合を例に以下説明する。
図９及び図１０は、（Ａ）生協用単協版の作成工程を示す概略シーケンスチャートであり、図１１及び図１２は、全生協用完成版作成工程を示すシーケンスチャートである。
先ず、事前準備として図４の特定及び全生協用商品仕様書等ファイル２４０内に図５に示すように各生協の名称等と、各生協の商品仕様書に表示が求められている項目データが格納される（団体識別情報工程及び食品情報項目格納工程の一例）
具体的には、全国の７２生協分の名称と約９００項目のデータが格納される。
【００４５】
また、仕様書展開情報ファイル２４３には、図２に示すような各生協独自の商品仕様書（（Ａ）生協商品仕様書１１等）のフォーム等が格納される（展開情報格納工程の一例）。具体的には、約４４種類の商品仕様書フォームのデータが格納される。さらに、着色情報ファイル２４１にも図８に示すような着色データが格納される。
また、入力画面情報登録ファイル２３９には、（ア）食品会社端末１００ａ等のディスプレイ装置１０７に表示するための図６及び図７に示すような画面の画像情報が格納される（画面情報格納工程の一例）。
【００４６】
このように各ファイルに情報を格納した後、図９及び図１０に示す動作が開始される。先ず、図１の（ア）食品会社は、自社の食品を取りあえず（Ａ）生協に納品するため（Ａ）生協の商品仕様書（（Ａ）生協商品仕様書１１）の作成を食品情報管理センター２００に依頼する。
具体的には、（ア）食品会社の（ア）食品会社端末装置１００ａを操作し、インターネット網１４及びＷｅｂサーバ２１０を介して食品情報管理サーバ２３０にアクセスする。
このとき、食品情報管理サーバ２３０へのアクセスは全てＷｅｂサーバ２１０を介するので情報漏洩等を未然に防ぐことができる。
【００４７】
また、アクセスが可能となった状態で、（ア）食品会社端末装置１００ａは、商品仕様書に関する入力画面を要求する（ＳＴ１）。これに対して図４の食品情報管理サーバ２３０は、入力画面生成部２３３が入力画面情報登録ファイル２３９等を参照して、例えば図６に示すような項目情報入力画面を（ア）食品会社端末装置１００ａのディスプレイ装置１０７に表示する（ＳＴ２）。
具体的には、特定の生協用の商品仕様書作成、または全部の生協用の商品仕様書作成のいずれかを選択する画面を表示する。図６の例では左上の「単協版」が特定の生協用の商品仕様書作成で、「完成版」が全部の生協用の商品仕様書作成となる。
【００４８】
次に、（ア）食品会社端末装置１００ａのディスプレイ１０７を見ている操作者は図３のキーボード１０８を操作して図６の単協版をクリックする。このとき、同一画面の下には操作方法を説明するガイド欄が同時に表示されるので、操作は迷うことなく操作を行うことができる。
次に、操作者が図６の単協版をクリックすると、図６に示すように導入生協一覧が表示される（食品共同購入団体選択画面生成工程の一例）。
この画面で操作者が（Ａ）生協を選択し、その選択を確定させると、食品情報格納サーバ２３０へ（Ａ）生協の商品仕様書（（Ａ）生協商品仕様書１１）の入力用フォームを要求する（ＳＴ３）。
次に、図４の特定生協用商品仕様書項目抽出部２３４は、特定及び全生協用商品仕様書等ファイル２４０を参照して、（Ａ）生協の項目を抽出する。具体的には、図５（Ａ）生協の○を付してある項目を抽出する（ＳＴ４）（一部食品情報抽出工程の一例）。
【００４９】
そして、入力画面生成部２３３は、入力画面情報登録ファイル２３９等を参照し、特定生協用商品仕様書項目抽出部２３４が抽出した項目を図７に示すような画面とする。このとき、着色処理部２３５は、着色情報ファイル２４１を参照する。
図８に示すように着色情報ファイル２４１では（Ａ）生協の項目は桃色なので、着色処理部２３５は図７に示す（Ａ）生協の項目に対応する部分を桃色に着色処理する（図７の斜線部分）（ＳＴ５）。このようにして形成された図７の画面が（ア）食品会社端末装置１００ａのディスプレイ装置１０７に表示される（ＳＴ６）（一部食品情報項目入力画面生成工程の一例）。
【００５０】
図７の画面をディスプレイ装置１０７で操作者は見ながら桃色に着色されている項目をキーボード１０８を用いて順次入力することになる（ＳＴ７）。このとき、操作者は着色された項目に入力すればよいので入力漏れや入力ミスが生じ難く、また、熟練した担当者でなくても入力できるので、食品会社としては操作性がよく、コストのかからない入力方法となる。
入力が終了すると入力済みのフォームが食品情報管理サーバ２３０へ送信される（ＳＴ８）。そして、図４のデータ入出力部２３６は、入力されたデータを入力データ登録ファイル２４２に登録し（一部食品情報項目内容格納工程の一例）、仕様書展開処理部２３７は、登録されたデータと仕様書展開情報ファイル２４３を参照し、（Ａ）生協用の商品仕様書を展開し作成する（ＳＴ９）（一部食品情報説明書展開工程の一例）。
【００５１】
具体的には、図２に示す（Ａ）生協の商品仕様書のフォーム（（Ａ）生協商品仕様書１１）に、（ア）食品会社端末装置１００ａが入力したデータを当てはめ展開し作成する。
次に、食品情報管理サーバ２３０は、作成された（Ａ）生協の商品仕様書（（Ａ）生協商品仕様書１１）を図１の品質管理端末装置２５０へ送信する（ＳＴ１０）。また、営業担当者端末装置２７０にも送信する（ＳＴ１１）。
品質管理端末装置２５０が商品仕様書を受け取ると、その内容がディスプレイに表示され、品質管理担当者が、その内容を検査する。具体的には、図５の漢字ブランド名の欄に「ひらがな」が記載されている場合や産地表示の誤り、成分表示の誤り等を検査し、その結果を食品管理情報サーバ２３９へ送信する（ＳＴ１２）。
このため、従来のように食品会社が記入して作成する際に誤りがあり、この誤りが発見されずに生協に商品仕様書が提示されるという事態の発生を未然に防ぐこができ、生協へ提示される商品仕様書の信頼性が著しく向上することになる。
【００５２】
また、営業担当者端末装置２７０でも、その内容がディスプレイに表示され、営業上の視点から内容の誤りの有無が検査され、検査結果が食品情報管理サーバ２３０へ送信される（ＳＴ１３）。
次に、食品情報管理サーバ２３０は品質管理端末装置２５０及び営業担当者端末装置２７０からの検査結果に基づき、（Ａ）生協用の商品仕様書を修正等行い、その結果を（ア）食品会社端末装置１００ａへ送信し（ＳＴ１４）、確認を求める（ＳＴ１５）。
最終的に作成された（Ａ）生協の商品仕様書（（Ａ）生協商品仕様書１１）は（ア）食品会社端末装置１００ａへ送信される（ＳＴ１６）と共に、食品管理サーバデータベース内に登録される。
【００５３】
このようにして作成された商品仕様書は食品情報管理センター２００の担当者が直接または、データ化して（Ａ）生協に提示されることになる。
以上のように、（ア）食品会社は特定の生協用の商品仕様書を作成する場合に、自己の端末装置のディスプレイ１０７に表示される画面を見ながら、その指示にしたがって必要事項を入力すればよいので、従来、煩雑であった商品仕様書を迅速且つ容易に作成することができる。
また、食品会社の入力データは品質管理担当者が検査するので、従来あった表示の誤りに基づくクレームの発生を未然に防ぐことができる。一方、食品情報管理センター２００を食品商社や食品問屋等が運営すれば、従来、多数の人員を配置して行ってきた商品仕様書の作成管理を機械化できるので、大きなコストダウンとなると共に、商品仕様書の作成時間を大幅に短縮することができる。
【００５４】
ところで、このように（ア）食品会社が、（Ａ）生協に商品仕様書（（Ａ）生協商品仕様書１１）を提示した後、商品の評判がよく全国展開するときの商品仕様書の作成について以下説明する。
先ず、営業担当者がその営業担当者端末装置２７０から食品情報管理サーバ２３０へ全国展開の依頼を行い（ＳＴ１８）、食品情報管理サーバ２３０が（ア）食品会社端末装置１００ａへ、その旨連絡する（ＳＴ１９）。
（ア）食品会社が、全国展開を認めれば、図９のＳＴ１及びＳＴ２と同様に、図６の生協選択画面が（ア）食品会社端末装置１００ａに表示される。このとき、操作者は図６の左上の完成版を選択し、完成版の商品仕様書の入力用フォームを要求する（ＳＴ２０）。
食品情報管理サーバ２３０の特定生協用商品仕様書抽出部２３４は、特定及び全生協用商品仕様書等ファイル２４０内の図５に示す全生協の項目を抽出する（ＳＴ２１）（全部食品情報項目抽出工程の一例）。
【００５５】
この抽出された項目を入力画面生成部２３３等が入力画面情報登録ファイル２３９等を参照して、図７に示すような入力用画面を生成する。
また、既に（Ａ）生協の商品仕様書（（Ａ）生協商品仕様書１１）を作成する際に入力された項目を当てはめる（ＳＴ２２）、未入力項目について着色処理部２３６が着色情報ファイル２４１を参照し、図８に示すように青色で表示する（ＳＴ２３）。このようにして入力画面を生成し、（ア）食品会社端末装置１００ａに提示する（ＳＴ２４）（全部食品情報項目入力画面生成工程の一例）。
【００５６】
入力画面を受け取った（ア）食品会社端末装置１００ａでは、操作者が（Ａ）生協用の商品仕様書（（Ａ）生協商品仕様書１１）の作成用項目の入力の場合と同様に、青色に着色された項目に必要事項を入力し、入力に際し適宜、ガイド部の案内を参照する（ＳＴ２５）。このとき入力する項目は約９００項目程度となる。
このようにして入力が終了すると食品情報管理サーバ２３０へ送信される（ＳＴ２６）。食品情報管理サーバ２３０は、仕様書展開処理部２３７等が仕様書展開情報ファイル２４３を参照して、全生協用の商品仕様書、例えば４４種類の商品仕様書を展開、作成する（ＳＴ２７）（全部団体食品情報説明書展開工程の一例）。
その後は、図１０のＳＴ１０乃至ＳＴ１７と同様に、図１２のＳＴ２８乃至ＳＴ３５が行われ、完成された商品仕様書が全国の生協に提示されることになる。
【００５７】
以上のように本実施の形態の生協仕様書管理システム１０によれば、食品会社の希望する生協についてのみ最初に商品仕様書を作成し、その後、全国の生協に対し商品仕様書を提示することが容易となる。
そして、食品情報管理サーバ２３０は、全生協の入力項目情報と、各生協毎の商品仕様書フォームを有しているので、食品会社が商品仕様書の提示を望む生協を、端末装置のディスプレイ１０７上で選択するだけで、画面上に必要な項目が示され、その指示に従って必要事項を入力するだけで、商品仕様書を作成することができる。
また、従前に入力した情報は情報管理サーバ２３０に登録されているので、後で全国展開する際に、その情報の再入力は不要なので効率的に全国展開することができる。
すなわち、全国の生協は４４種類の商品仕様書があり、これらの全ての商品仕様書を作成するには、約９００項目もの入力が必要となるので、全国展開をする際に、最初から入力し直しをすると、膨大な時間がかかる。その点、入力済みの情報を使用すれば、かかる時間等を低減させることができる。
【００５８】
なお、一度、作成された商品仕様書は食品情報管理サーバ２３０内に登録されているので、その後に生じた、商品のリニューアル、商品の終売、仕様書再提出を行うことができる。すなわち、食品会社は自己の食品会社端末装置１００ａ等からインターネット網１４等を介して食品情報管理サーバ２３０にアクセスし、登録された情報の変更、削除等を行うことで、容易に変更等を行うことができる。
【００５９】
（第２に実施の形態）
図１３は、第２の実施の形態に係る生協仕様書管理システム２０を示す概略ブロック図ある。第２の実施の形態に係る生協仕様書管理システム２０は、第１の実施の形態とほぼ同様の構成となっているので、共通する部分は同一符号等とし、以下相違点を中心に説明する。  
図１３に示すように、本実施の形態では第１の実施の形態と異なり（Ａ）生協等の（Ａ）生協端末装置１１ａ等が、インターネット網１４を介して食品情報管理センター２２０に接続されている。このため、第１の実施の形態で作成された各生協用の商品仕様書は、インターネット網１４を介して各生協に送信することができる。
また、各生協は自己の端末装置（（Ａ）生協端末装置１１ａ等）をから食品情報管理サーバ２２０へアクセスし、積極的に食品会社の商品仕様書を閲覧することもできる。
【００６０】
（プログラム及びコンピュータ読み取り可能な記録媒体等について）
コンピュータに上述の動作例の団体識別情報格納工程、食品情報項目格納工程、展開情報格納工程、画面情報格納工程、食品共同購入団体選択画面生成工程、食品情報項目抽出工程、食品情報項目入力画面生成工程、食品情報説明書展開工程等を実行させるための食品情報管理プログラム等とすることができる。
また、このような食品情報管理プログラム等を記録したコンピュータ読み取り可能な記録媒体等とすることもできる。
【００６１】
これら食品情報管理プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００６２】
本発明は、上述の各実施の形態に限定されない。さらに、上述の各実施の形態は、相互に組み合わせて構成するようにしてもよい。
【図面の簡単な説明】
【００６３】
【図１】本発明の食品情報管理システムの実施の形態である生協仕様書管理システムを示す概略ブロック図である。
【図２】（Ａ）生協の商品仕様書フォームを示す説明図である。
【図３】（ア）食品会社端末装置の主なハードウエア構成等を示す概略ブロック図である。
【図４】図１の食品情報管理サーバの主なソフトウエア構成等を示す概略ブロック図である。
【図５】商品仕様書で求められる食品情報項目の一覧を示す説明図である。
【図６】生協選択画面等を示す概略画面例である。
【図７】項目入力画面等を示す概略画面例である。
【図８】着色データ例である。
【図９】（Ａ）生協用単協版の作成工程を示す概略シーケンスチャートである。
【図１０】（Ａ）生協用単協版の作成工程を示す他の概略シーケンスチャートである。
【図１１】全生協用完成版作成工程を示す概略シーケンスチャートである。
【図１２】全生協用完成版作成工程を示す他の概略シーケンスチャートである。
【図１３】第２の実施の形態に係る生協仕様書管理システムを示す概略ブロック図ある。
【符号の説明】
【００６４】
１０、２０・・・生協仕様書管理システム、１１・・・（Ａ）生協商品仕様書、１２・・・（Ｂ）生協商品仕様書、１３・・・（Ｃ）生協商品仕様書、１４・・・インターネット網、１００ａ・・・（ア）食品会社端末装置、１００ｂ・・・（イ）食品会社端末装置、１００ｃ・・・（ウ）食品会社端末装置、１０１・・・バス、１０２・・・ＣＰＵ、１０３・・・ＲＡＭ、１０４・・・ＲＯＭ、１０５・・・ハードディスク、１０６・・・通信装置、１０７・・・ディスプレイ、１０８・・・キーボード、２００・・・食品情報管理センター、２１０・・・Ｗｅｂサーバ、２２０・・・食品情報管理センター、２３０・・・食品情報格納サーバ、２３１・・・制御部、２３２・・・送受信部、２３３・・・入力画面生成部、２３４・・・特定生協用商品仕様書項目抽出部、２３５・・・着色処理部、２３６・・・データ入出力部、２３７・・・仕様書展開処理部、２３８・・・食品管理サーバデータベース、２３９・・・入力画面情報登録ファイル、２４０・・・特定及び全生協用商品仕様書等ファイル、２４１・・・着色情報ファイル、２４２・・・入力データ登録ファイル、２４３・・・仕様書展開情報ファイル、２５０・・・品質管理端末装置、２７０・・・営業担当者端末装置。
【図１】
2006286023.tif 000003
【図２】
2006286023.tif 000004
【図３】
2006286023.tif 000005
【図４】
2006286023.tif 000006
【図５】
2006286023.tif 000007
【図６】
2006286023.tif 000008
【図７】
2006286023.tif 000009
【図８】
2006286023.tif 000010
【図９】
2006286023.tif 000011
【図１０】
2006286023.tif 000012
【図１１】
2006286023.tif 000013
【図１２】
2006286023.tif 000014
【図１３】
2006286023.tif 000015